(57)【要約】【課題】被梱包物を梱包箱内で常に安定した状態で保持できるとともに、梱包作業を簡便に行える仕切体を有する梱包箱を提供すること。【解決手段】上方を開口して被梱包物５の出し入れが可能な上面視方形の梱包箱１６を設け、該梱包箱１６の底面１６ａに、断面山形の山折り部２３，２５を有する仕切体２２を配設し、該仕切体２２における山折り部２３，２５に上方が開口する切り込み部２３ａ，２３ｂ，を設け、これら切り込み部２３ａ，２３ｂに、それぞれ被梱包物５の一部５ａ、５ｂを嵌合して被梱包物５を前記梱包箱１６内に収納する。【選択図】図４
2008007155.tif 000002
【特許請求の範囲】
【請求項１】
上方を開口して被梱包物の出し入れが可能な上面視方形の梱包箱を設け、該梱包箱の底面に、断面山形の山折り部を有する仕切体を配設した仕切体を有する梱包箱であって、該仕切体における山折り部に上方が開口する切り込み部を設け、該山折り部の切り込み部に、前記被梱包物の一部を嵌合して被梱包物を前記梱包箱内に収納したことを特徴とする仕切体を有する梱包箱。
【請求項２】
前記被梱包物を複数とし、前記仕切体の山折り部を、左右方向中央を中心として左右両側に略対称となるよう配設し、該各山折り部にそれぞれ複数の切り込み部を設け、前記被梱包物の左右両側を左右の山折り部の切り込み部にそれぞれ嵌合し、前記両山折り部と該山折り部と対向する前記梱包箱の内側面との間の少なくとも一方側に、他の前記被梱包物の少なくとも一部を切り込み部に嵌合して配置した請求項１に記載の仕切体を有する梱包箱。
【請求項３】
前記仕切体の山折り部を、前記梱包箱の左右方向中央を中心として左右両側に略対称となるよう左右２箇所ずつ配設し、中央の左右２箇所の山折り部の切り込み部に、前記被梱包物の一つの左右両側を嵌合し、前記左右の２箇所の山折り部の間に他の被梱包物をそれぞれ少なくとも一部を山折り部の切り欠き部に嵌合した請求項２に記載の仕切体を有する梱包箱。
【請求項４】
前記梱包箱と前記仕切体を段ボール紙材で製作した請求項１乃至３のいずれかに記載の仕切体を有する梱包箱。
【発明の詳細な説明】
【技術分野】
【０００１】
本発明は、上方を開口して被梱包物の出し入れが可能な上面視方形の梱包箱を設け、該梱包箱の底面に、断面山形の山折り部を有する仕切体を配設した仕切体を有する梱包箱に関する。
【背景技術】
【０００２】
従来の物品の輸送等に際し、該物品を包装する手段として、矩形箱状の底板（２１）内に上面視縦横で２枚ずつの段ボール等の辺材を組み合わせた上面視格子状の支え部材（７８）が嵌合するように配置され、辺材同士の互いの直交部（７８ａ）に芯材（９９）が嵌め込んで被包装物を支持可能になっている。そして被包装物を運搬する際には、緩衝材が内設された上部緩衝体（１３２）を備えた上板（１５３）で被包装物の上部を保護することで、上下の衝撃にも強く運搬性の良い包装装置が知られている。（例えば、特許文献１参照）。
【０００３】
また物品全体を梱包する梱包装置としては、外箱の底部に被梱包物を設置した状態で、外箱の左右内端面（２６）と被梱包物（１）の左右端面との隙間に、段ボールの折り曲げにより上面視略コ字状で形成された一対の緩衝材（７）を挿入することで、被梱包物の両端面（２４）を保護した状態で保持し、外箱の左右および前後一対のフラップ（３）、（５）を折り込んで、フラップ中央部同士を粘着テープで封函するものがある。このものは外箱によって被梱包物の全体が保護されていて、左右の揺れにも強く運搬性および積載性に優れている。（例えば、特許文献２参照）。
【０００４】
【特許文献１】特開平１０−３５７４０号公報（段落００１７〜００２１，段落００３６，００３７、図１，図３，図４，図２４，図２５）
【特許文献２】特開２００６−１０３７２９号公報（段落００１９〜００２４、図１〜３）
【発明の開示】
【発明が解決しようとする課題】
【０００５】
しかしながら、特許文献１の包装装置にあっては、支え部材を構成する部品点数が多いために組み付けに多くの時間が掛かるとともに、上板には上部緩衝体、支え部材には芯材といった保護部材が使用されているためにコストがかさむとともに、使用済みの包装装置を分別処理する際に、手間と費用が掛かった。また、被包装物の上下部が上板と底板で保護されるものの前後左右の側面部が露出しているので、例えば包装装置の運搬時における外部からの衝撃による破損や疵を生じさせてしまう虞があった。
【０００６】
一方、特許文献２の梱包装置にあっては、被梱包物全体が外箱で覆われているので、外部からの衝撃による等による破損や疵が生じる虞がなく、且つ被梱包物の左右端面も一対の緩衝材で保持されているので、外箱内でのガタツキがある程度抑えられるが、外箱内での移動を確実に抑えるためには前後側にも緩衝材が必要となり、梱包作業が煩雑であった。
【０００７】
本発明は、このような問題点に着目してなされたもので、被梱包物を梱包箱内で常に安定した状態で保持できるとともに、梱包作業を簡便に行える仕切体を有する梱包箱を提供することを目的とする。
【課題を解決するための手段】
【０００８】
上記課題を解決するために、本発明の請求項１に記載の仕切体を有する梱包箱は、上方を開口して被梱包物の出し入れが可能な上面視方形の梱包箱を設け、該梱包箱の底面に、断面山形の山折り部を有する仕切体を配設した仕切体を有する梱包箱であって、該仕切体における山折り部に上方が開口する切り込み部を設け、該山折り部の切り込み部に、前記被梱包物の一部を嵌合して被梱包物を前記梱包箱内に収納したことを特徴としている。
この特徴によれば、被梱包物の一部を山折り部に形成された切り込み部に嵌合することで、被梱包物を梱包箱内で常に安定した状態で保持できるとともに、被梱包物の外部からの衝撃や振動防止のために緩衝材を梱包箱内に配設することないので梱包作業を簡便に行える。
【０００９】
本発明の請求項２に記載の仕切体を有する梱包箱は、請求項１に記載の仕切体を有する梱包箱であって、前記被梱包物を複数とし、前記仕切体の山折り部を、左右方向中央を中心として左右両側に略対称となるよう配設し、該各山折り部にそれぞれ複数の切り込み部を設け、前記被梱包物の左右両側を左右の山折り部の切り込み部にそれぞれ嵌合し、前記両山折り部と該山折り部と対向する前記梱包箱の内側面との間の少なくとも一方側に、他の前記被梱包物の少なくとも一部を切り込み部に嵌合して配置したことを特徴としている。
この特徴によれば、被梱包物の左右両側に左右の山折り部の切り込み部にそれぞれ嵌合し、両山折り部と該山折り部と対向する前記梱包箱の内側面との間の少なくとも一方側に
他の被梱包物の少なくとも一部が切り込み部に嵌合されることから、複数の被梱包物がガタツクことなく梱包箱に収納可能となる。
【００１０】
本発明の請求項３に記載の仕切体を有する梱包箱は、請求項２に記載の仕切体を有する梱包箱であって、前記仕切体の山折り部を、前記梱包箱の左右方向中央を中心として左右両側に略対称となるよう左右２箇所ずつ配設し、中央の左右２箇所の山折り部の切り込み部に、前記被梱包物の一つの左右両側を嵌合し、前記左右の２箇所の山折り部の間に他の被梱包物をそれぞれ少なくとも一部を山折り部の切り欠き部に嵌合したことを特徴としている。
この特徴によれば、梱包箱の左右方向中央を中心として左右対称で２箇所の山折り部を設けて全ての被梱包物の一部を各山折り部のいずれかの切り込み部に嵌合させることで、より多くの被梱包物を位置ズレすることなく梱包箱内に梱包することが可能となる。特に椅子に用いられる背フレームや肘掛けといった左右対称で一対となる被梱包物の梱包に適している。
【００１１】
本発明の請求項４に記載の仕切体を有する梱包箱は、請求項１乃至３のいずれかに記載の仕切体を有する梱包箱であって、前記梱包箱と前記仕切体を段ボール紙材で製作したことを特徴としている。
この特徴によれば、段ボール紙材を用いることで梱包箱および仕切体の製造コストを安価に抑えることができるとともに、仕切体は一枚の段ボール紙材を折り曲げ、かつ山折り部の一部を切り欠くだけで容易に製作できる。また、使用済みの梱包箱を廃棄する際にも梱包箱と仕切体を分別処理する手間が省ける。
【発明を実施するための最良の形態】
【００１２】
本発明の実施例を以下に説明する。
【実施例】
【００１３】
図１は、本発明の実施例における被梱包物である椅子の各部材を示す分解斜視図であり、図２は、梱包箱と仕切体の分解斜視図であり、図３は、仕切体の展開平面図であり、図４は、仕切体に支基を配置する第１収納作業工程を示す平面図であり、図５は、仕切体に右背フレームと２つの補強板を配置する第２収納作業工程を示す平面図であり、図６は、仕切体に左背フレームを配置する第３収納作業工程を示す平面図であり、図７は、仕切体に左右一対の肘掛部および肘押えと背連結フレームとを配置する第４収納作業工程を示す平面図であり、図８は、仕切体に中仕切板と座下フレームを配置する第５収納作業工程を示す平面図である。
【００１４】
本実施例においては図１に示されるように、椅子１を各部材毎に分解した状態で、一点鎖線で示された背凭れ２と座クッション３と脚部４およびボルト等の細かな接合部材（図示省略）を除く、その他の部材である脚部４に接続されるベース部材である支基５、上面視アーチ型の座下フレーム１１、左右対称で一対の側面視略Ｔ字型の左肘掛部９，右肘掛部１０、左右対称で一対の側面視略Ｌ字型の左背フレーム６，右背フレーム７、該左右の背フレーム６，７の上端同士を連結する上面視三日月型の背連結フレーム８を被梱包物として梱包箱に収納する。
【００１５】
左右の背フレーム６，７には、背凭れ２を支持する背杆６ａ，７ａと座クッション３を支持する座杆６ｂ，７ｂとが形成され、座杆６ｂ，７ｂの先端部には上方に上方を向く突出部６ｃ，７ｃとで構成されている。左右一対の肘掛部９，１０は上部に肘掛け座を有する基部９ｄ、１０ｄを有し、この基部９ｄ、１０ｄ下端にはそれぞれ左背フレーム６と右背フレーム７に連結した線状の操作ワイヤ９ａ，１０ａが設けられている。
【００１６】
図２に示されるように、上面視方形の段ボール紙材で製作された梱包箱１６の上端には開閉可能な上蓋１６ｂが形成され、上蓋１６ｂを開放した状態で底面１６ａと前後左右の内側面１６ｅ，１６ｆ，１６ｃ，１６ｄで囲まれた収納スペースＳに上記した複数の被梱包物（符号５〜１１）が出し入れ可能に収納される。以下、図２に示された梱包箱１６の配置における奥行き側を前方とし、正面側を後方をとし、左側を左方とし、右側を右方として本実施例を説明する。
【００１７】
梱包箱１６には予め段ボール紙材の折り曲げ形成によって製作された梱包箱用仕切体（以下、仕切体２２）が収納スペースＳ内に配設されており、仕切体２２には左右方向中央を中心として左右両側に略対称となるように４箇所の山折り部、即ち中央左山折り部２３，中央右山折り部２５、およびその左右外方の外方左山折り部２７，外方右山折り部２９が配設されている。
【００１８】
図２，図３に基づき仕切体２２について具体的に説明する。仕切体２２は一枚の段ボール紙材から製作され、所定位置で上面視前後左右方向に山折り線（一点鎖線）および谷折り線（点線）が複数形成されている。仕切体２２の左右方向中央を中心として略対称に、中央およびその外側位置に山折り部が左右に２箇所ずつ形成されるように、山折り線および谷折り線が前後方向に向けて複数形成されている。中央左山折り部２３と中央右山折り部２５には、上面視矩形に切り込み線が形成され上下に貫通するように切り取られた切り込み部２３ａ〜２３ｃ，２５ａ〜２５ｃと、同じく上面視略台形に切り込み線が形成され一部を切り取った切り込み部２３ｄ，２５ｄとが左右対称で共通位置に形成されている。中央左山折り部２３の後方位置には切り込み部２３ｅが切り込み線で形成され、同じく中央右山折り部２５の後方位置には前後に切り込み部２５ｆと切り込み部２５ｅが切り込み線で形成されており、これら切り込み部２３ｅと２５ｆ，２５ｅとは左右非対称で形成されている。
【００１９】
外方左山折り部２７と外方右山折り部２９には、外側の一部を切り取った上下に貫通する切り込み部２７ａ，２９ａが左右対称で形成されている。外方左山折り部２７の前後端には左方切り込み線２２ｄ，２２ｃが形成され、同じく外方右山折り部２９の前後端には右方切り込み線２２ｂ，２２ａが左右対称位置で形成されている。
【００２０】
外方左山折り部２７と外方右山折り部２９の前方位置には、前方コ字状に開口するように切り欠かれた左方切り欠き部３２と右方切り欠き部３４が形成され、外方左山折り部２７と外方右山折り部２９の後方位置には、それぞれ左方切り込み線３１と右方切り込み線３３が形成され、これら左右の切り込み線３１，３３に沿って折曲片３５，３７を折り曲げ形成される。
【００２１】
図示された複数の山折り線（一点鎖線）および谷折り線（点線）に沿って仕切体２２が折り曲げられると、図２に示されるように、中央左右の山折り部２３，２５が上方に向けて立ち上がるとともに、その外方左右の山折り部２７，２９も上方に向けて立ち上がる。そして、折曲片３５，３７も上方に向けて上面視Ｌ字状に立設され、仕切体２２の左右端部も上方に向けて折り曲げられる。
【００２２】
中央左山折り部２３には、切り込み部２３ａ，２３ｂ，２３ｄ，２３ｅが上方に開口され、切り込み部２３ｃが内方に向けて開口される。中央右山折り部２５には、切り込み部２５ａ，２５ｂ，２５ｄ，２５ｅ，２５ｆが上方に開口され、切り込み部２５ｃが内方に向けて開口される。外方の左右山折り部２７，２９には、それぞれ切り込み部２７ａ，２９ａが上方に向けて開口される。そこで、仕切体２２を梱包箱１６の前後左右の内側面１６ｅ，１６ｆ，１６ｃ，１６ｄに沿って摺接しながら底面１６ａに配置するだけで容易に収納スペースＳ内に配設することができ、中央左右の山折り部２３，２５の前後端面が前後の内側面１６ｅ，１６ｆに当接され、仕切体２２の左右端部が左右の内側面１６ｃ，１６ｄに当接されることで、仕切体２２が梱包箱１６内で位置ずれすることなく保持される。
【００２３】
段ボール紙材を用いることで梱包箱１６および仕切体２２の製作を行えるので、製造コストを安価に抑えることができるとともに、一枚の段ボール紙材を折り曲げるだけで左右方向に複数の山折り部２３，２５，２７，２９を形成でき、これら山折り部の一部を切り欠くだけで容易に複数の切り込み部２３ａ〜２３ｅ，２５ａ〜２５ｆ，２７ａ，２９ａが形成されるので、仕切体２２を簡便に製作できる。また、段ボール紙材で梱包箱１６および仕切体２２を製作したことで、例えば、使用済みの梱包箱１６を廃棄する際にも梱包箱１６と仕切体２２を分別処理する手間を省いて廃棄を行うことができる。
【００２４】
また、図２に示されるように本実施例では、梱包箱１６内に仕切体２２を配置したのち、後述において説明する各被梱包物５〜１１（図１参照）を梱包箱１６に収納する過程において、仕切体２２には、段ボール紙材からなる左右一対の肘押え１７，１８と前後一対の補強板１９，２０と仕切体２１の上部前方を覆う中仕切板２１が用いられている。中仕切板２１は左右長手方向に延びる上面視矩形となっており、左右方向中央を中心として対称位置に、後端縁に切欠係合溝２１ａ，２１ａが形成され、前方部に係止孔２１ｂ，２１ｂが形成されている。
【００２５】
補強板１９，２０は側面視下向きコ字状に折り曲げ形成され、仕切体２２の中央左山折り部２３と中央右山折り部２５の前後位置に配置可能となっており、右肘押え１８と左肘押え１７は正面視上向きコ字状に折り曲げ形成され、中央左山折り部２３と外方左山折り部２７の間に右肘押え１８、中央右山折り部２５と外方右山折り部２９の間に左肘押え１７がそれぞれ配置可能となっている。尚、右肘押え１８および左肘押え１７の左右後方先端部には、操作ワイヤ９ａ，１０ａをそれぞれ係止可能な係止切溝１８ａ，１７ａが形成され、前方先端部には舌片１８ｂ，１７ｂが形成されている。
【００２６】
次に、図４〜図８に基づいて仕切体２２が配設された梱包箱１６に複数の被梱包物である支基５、左背フレーム６，右背フレーム７、左肘掛部９，右肘掛部１０、背連結フレーム８、座下フレーム１１を梱包箱１６に収納する収納作業工程（第１〜第５収納作業工程）の手順を以下に順を追って説明する。
【００２７】
第１収納作業工程として図４に示されるように、先ず支基５を収納するには、支基５の中央部を中央左山折り部２３と中央右山折り部２５の間に配置し、左右の端部５ｂ，５ｂを切り込み部２３ｂ，２５ｂに嵌合するとともに、左右の下端部５ａ，５ａを切り込み部２３ａ，２５ａに嵌合することで、左右の動きが中央左山折り部２３と中央右山折り部２５の内側で規制され、前後の動きが切り込み部２３ｂ，２５ｂおよび切り込み部２３ａ，２５ａで規制されるので、支基５が前後左右にガタツクことなく安定した状態で収納保持される。
【００２８】
第２収納作業工程として図５に示されるように、左背フレーム６の背杆６ａを梱包箱１６の後方の内側面１６ｆ側に、座杆６ｂを左方の内側面１６ｃ側に向け、背杆６ａと座杆６ｂとの角部を左方折曲片３５の外方に位置するように配置し、突出部６ｃを切り込み部２７ａに嵌合するとともに、背杆６ａを中央左山折り部２３と中央右山折り部２５の後方の切り込み部２３ｅ，２５ｅに嵌合することで、座杆６ｂの左右の動きが外方左山折り部２７の外側と内側面１６ｃとで規制され、背杆６ａの前後の動きが切り込み部２７ａ，２３ｅ，２５ｅで規制されるので、左背フレーム６が前後左右にガタツクことなく安定した状態で収納保持される。次いで、補強板１９および補強板２０を中央左山折り部２３と中央右山折り部２５の間の前後のスペースの配置し、補強板１９は背杆６ａの一部を覆うように配置する。
【００２９】
第３収納作業工程として図６に示されるように、右背フレーム７の背杆７ａを梱包箱１６の後方の内側面１６ｆ側に、座杆７ｂを右方の内側面１６ｄ側に向け、背杆７ａと座杆７ｂとの角部を右方折曲片３７の外方に位置するように配置し、突出部７ｃを切り込み部２９ａに嵌合するとともに、背杆７ａを中央右山折り部２５と中央左山折り部２３の後方の切り込み部２５ｆ，２３ｅに嵌合することで、座杆７ｂの左右の動きが外方右山折り部２９の外側と内側面１６ｄとで規制され、背杆７ａの前後の動きが切り込み部２９ａ，２５ｆ，２３ｅで規制されるので、右背フレーム７が前後左右にガタツクことなく安定した状態で収納保持される。尚、補強板２０が背杆６ａの上部に配置されたことで、背杆６ａ，７ａ同士の接触が避けられ破損や傷等を生じることがない。
【００３０】
第４収納作業工程として図７に示されるように、まず右肘掛部１０の基部１０ｄを中央左山折り部２３と外方左山折り部２７の間の前方位置に配置し、右肘掛部１０の後端部１０ｂを中央左山折り部２３の外側の切り込み部２３ｄから内側の切り込み部２３ｃに嵌合したのち、前端部１０ｃを中央左山折り部２３の前端と外方左山折り部２７の前方及び梱包箱１６前方の内側面１６ｅの間に配置することで、基部１０ｄの左右の動きが中央左山折り部２３の外側と外方左山折り部２７の内側で規制され、後端部１０ｂと前端部１０ｃの前後の動きが中央左山折り部２３の切り込み部２３ｃ，２３ｄと、内側面１６ｅおよび外方左山折り部２７の前方で規制されるので、右肘掛部１０が前後左右にガタツクことなく安定した状態で収納保持される。
【００３１】
左肘掛部９の収納については、右肘掛部１０と対称に収納配置するので説明を割愛するが、基部９ｄが中央右山折り部２５と外方右山折り部２９の間に配置され、後端部９ｂが切り込み部２５ｄ，２５ｃ、前端部９ｃが外方右山折り部２９の前端と梱包箱１６前方の内側面１６ｅの間に配置されることで、左肘掛部９の前後左右のガタツキが規制され、安定した状態で収納保持される。
【００３２】
次いで、右肘掛部１０および左肘掛部９の基部１０ｄ，９ｄを上方から覆うようにして中央左山折り部２３と外方左山折り部２７の間と、中央右山折り部２５と外方右山折り部２９の間にそれぞれ右肘押え１８と左肘押え１７を係止切溝１８ａ，１７ａが後方側に位置するように配置し、基部１０ｄから延在される操作ワイヤ１０ａを右方に向けて係止切溝１８ａ，１７ａの右片に挟み込むことで係止され、同様にして基部９ｄから延在される操作ワイヤ９ａを左方に向けて係止切溝１７ａ，１８ａの左片に挟み込むことで係止されるので、両操作ワイヤ１０ａ，９ａの動きが固定され安易な取り外れを防止している。
【００３３】
そして、背連結フレーム８の中央部を中央左右の山折り部２３，２５の切り込み部２３ｄ，２５ｄに嵌合することで、前後のガタツキが防止されるとともに、背連結フレーム８の左右端部が外方左右の山折り部２７，２９の内側に当接されることから、左右のガタツキも防止される。また、背連結フレーム８の中央部の下面が補強板１９の上面で保持されるのでより安定した状態で保持される。また、右肘押え１８と左肘押え１７の舌片１８ｂ，１７ｂが基部１０ｄ，９ｄの上部に配置されていることから、背連結フレーム８の左右端部と基部１０ｄ，９ｄとの接触が防止され、左右の肘掛部１０，９と背連結フレーム８同士の当接による破損や傷等を生じることもない。
【００３４】
このように仕切板２２には、梱包箱１６の左右方向中央を中心として左右対称で２箇所の山折り部（符号２３，２５，２７，２９）を設けたことで、梱包箱１６の左右方向中央側の山折り部（中央左山折り部２３，中央右山折り部２５）と、梱包箱１６の左右内側面１６ｃ，１６ｄとが外側の山折り部（外方左山折り部２７，外方右山折り部２９）によって左右に仕切られることから、複数の被梱包物（支基５、左右背フレーム６，７、左右の肘掛部９，１０、背連結フレーム８）を梱包箱１６内に配置した場合に、これら全ての被梱包物（符号５、６，７、９，１０、８）の一部が各山折り部（符号２３，２５，２７，２９）のいずれかの切り込み部（符号２３ａ〜２３ｅ，２５ａ〜２５ｆ，２７ａ，２９ａ）に嵌合することで、被梱包物を梱包箱内で常に安定した状態で保持できる。
【００３５】
したがって、複数の被梱包物（符号５、６，７、９，１０、８）のガタツキが個々に防止されるので梱包箱１６内で位置ズレが確実に防止され、常に安定した状態で確実に梱包可能となる。また各山折り部（符号２３，２５，２７，２９）が略左右対称に配置されたことから、特に椅子１（図１参照）に用いられる左右の背フレーム６，７や左右の肘掛け９，１０といった左右対称で一対となる被梱包物の梱包に適している。
【００３６】
第５収納作業工程として図８に示されるように、中仕切板２１を梱包箱１６の内側面１６ｃ、１６ｄ、１６ｅに沿って前方上部を覆うように配置する。このとき左右の切欠係合溝２１ａ，２１ａは右肘押え１８と左肘押え１７にそれぞれ嵌合することで梱包箱１６内での位置ずれが防止されている。座下フレーム１１には下方に向けて凸部１１ａ，１１ａが形成されており、この凸部１１ａ，１１ａを中仕切板２１の前後略中央に形成された左右の係止孔２１ｂ，２１ｂに嵌合することで、座下フレーム１１が前後左右方向にガタツクことなく、安定した状態で中仕切板２１に配置される。また、この中仕切板２１によって下方に位置する右肘掛部１０および左肘掛部９と、上方に位置する座下フレーム１１との接触が未然に避けられ、左右の肘掛部１０，９と座下フレーム１１同士の当接による破損や傷等を生じることもない。
【００３７】
以上の各収納作業工程によって、複数の被梱包物（支基５、左右背フレーム６，７、左右の肘掛部９，１０、背連結フレーム８、座下フレーム１１）がガタツキを生じさせることなく安定した状態で無駄なく梱包箱１６内に収納され、最終工程として４片の各上蓋１６ｂを閉塞することで梱包作業が終了する。
【００３８】
本実施例では、梱包箱１６の底面１６ａに配設した仕切体２２に被梱包物（符号５、６，７、９，１０、８、１１）を順次配置することで被梱包物が梱包箱に収納されるので梱包作業を簡便に行え、収納された被梱包物の一部が各山折り部（符号２３，２５，２７，２９）に形成された各切り込み部（符号２３ａ〜２３ｅ，２５ａ〜２５ｆ，２７ａ，２９ａ）に嵌合されることで、梱包箱１６内でガタツクことなく常に安定した状態で保持されるので、緩衝材を新たに梱包箱１６内に配設する必要がない。
【００３９】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、梱包箱１６の左右方向中央を中心として左右両側に略対称となるよう左右２箇所ずつ山折り部（符号２３，２７および２５，２９）を配設したことで、より多くの被梱包物を配置可能となっていることから好ましいが、本発明はこれに限定されるものではなく、少なくとも梱包箱に配設された仕切体には上方に開口する切り込み部を備えた山折り部が配設されていれば良い。
【００４０】
また、上記実施例では、肘押え１７，１８、前後の補強板１９，２０、中仕切板２１を配置することで隣接する被梱包物同士の接触を回避できることから好ましいが、本発明はこれに限定されるものではなく、仕切体２２により各種の切り込み部を形成し、各被梱包物の嵌合箇所を設定することで、これら肘押え１７，１８、前後の補強板１９，２０、中仕切板２１を用いることなく、隣接する被梱包物同士の接触を避けることも可能である。
【００４１】
また、上記実施例では、梱包箱１６と仕切体２２を段ボール紙材で製作したことで、簡便な構成で製造コストを抑え、且つ使用済みの梱包箱１６を廃棄する際にも梱包箱１６と仕切体２２を分別処理する手間を省いて廃棄できることから好ましいが、本発明はこれに限定されるものではなく、梱包箱１６と仕切体２２をそれぞれ別材料で形成したり、梱包箱１６と仕切体２２を段ボール紙材以外の材質で形成しても良いことは言うまでもない。
【図面の簡単な説明】
【００４２】
【図１】本発明の実施例における被梱包物である椅子の各部材を示す分解斜視図である。
【図２】梱包箱と仕切体の各部材を示す分解斜視図である。
【図３】仕切体の展開平面図である。
【図４】仕切体に支基を配置する第１収納作業工程を示す平面図である。
【図５】仕切体に左背フレームと２つの補強板を配置する第２収納作業工程を示す平面図である。
【図６】仕切体に右背フレームを配置する第３収納作業工程を示す平面図である。
【図７】仕切体に左右一対の肘掛部および肘押えと背連結フレームとを配置する第４収納作業工程を示す平面図である。
【図８】仕切体に中仕切板と座下フレームを配置する第５収納作業工程を示す平面図である。
【符号の説明】
【００４３】
１                椅子
２                背凭れ
３                座クッション
４                脚部
５                支基（被梱包物）
５ａ、５ｂ        端部（被梱包物の一部）
６                左背フレーム（被梱包物）
６ａ              背杆（被梱包物の一部）
６ｂ              座杆
６ｃ              突出部（被梱包物の一部）
７                右背フレーム（被梱包物）
７ａ              背杆（被梱包物の一部）
７ｂ              座杆
７ｃ              突出部（被梱包物の一部）
８                背連結フレーム（被梱包物）
９                左肘掛部（被梱包物）
９ａ              操作ワイヤ
９ｂ              後端部（被梱包物の一部）
９ｃ              前端部
９ｄ              基部
１０              右肘掛部（被梱包物）
１０ａ            操作ワイヤ
１０ｂ            後端部（被梱包物の一部）
１０ｃ            前端部
１０ｄ            基部
１１              座下フレーム（被梱包物）
１１ａ            凸部
１６              梱包箱
１６ａ            底面
１６ｂ            上蓋
１６ｃ、１６ｄ    左右の内側面
１６ｅ、１６ｆ    前後の内側面
１７              左肘押え
１７ａ            係止切溝
１７ｂ            舌片
１８              右肘押え
１８ａ            係止切溝
１８ｂ            舌片
１９、２０        前後の補強板
２１              中仕切板
２１ａ            切欠係合溝
２１ｂ            係止孔
２２              仕切体（梱包箱用仕切体）
２２ａ、２２ｂ    右方切り込み線
２２ｃ、２２ｄ    左方切り込み線
２３              中央左山折り部
２３ａ〜２３ｅ    切り込み部
２５              中央右山折り部
２５ａ〜２５ｆ    切り込み部
２７              外方左山折り部
２７ａ            切り込み部
２９              外方右山折り部
２９ａ            切り込み部
３１              左方切り込み線
３２              左方切り欠き部
３３              右方切り込み線
３４              右方切り欠き部
３５              左方折曲片
３７              右方折曲片
Ｓ                収納スペース
【図１】
2008007155.tif 000003
【図２】
2008007155.tif 000004
【図３】
2008007155.tif 000005
【図４】
2008007155.tif 000006
【図５】
2008007155.tif 000007
【図６】
2008007155.tif 000008
【図７】
2008007155.tif 000009
【図８】
2008007155.tif 000010